(57)【要約】【課題】  焼肉店、居酒屋、和食店、すし店等の店内に設置された燃焼具の上方に配設される排煙フードの外側上部に広告内容、メニュー、イラスト等を照明表示することにより、お客を注目させアイキャッチ効果を高めながら、必要な宣伝広告や各種情報の表示を有効にできる照明表示付き排煙フードとする。【解決手段】  店内に設置された燃焼具の上方に配設され、笠体２の中央部上面に排煙口２ａを有し、排煙口２ａに筒状部３が設けられている排煙フード１の外側上部に、天井部６中央に筒状部３への挿通孔６ａを有し、側面に筒状部３を囲むように広告内容、メニュー、イラスト等を表した表示体１２を取り付けた縁枠７を有する表示枠５を設置する。表示枠５に表示体１２を照射する照明灯１８を設ける。【選択図】  図１
0003105136.tif 000002
【実用新案登録請求の範囲】
【請求項１】
店内に設置された燃焼具の上方に配設され、笠体の中央部上面に排煙口を有し、この排煙口に筒状部が設けられている排煙フードの外側上部に、天井部中央に前記筒状部への挿通孔を有し、側面に前記筒状部を囲むように広告内容、メニュー、イラスト等を表した表示体を取り付けた縁枠を有する表示枠が設置され、この表示枠に前記表示体を照射する照明灯が設けられていることを特徴とする照明表示付き排煙フード。
【請求項２】
表示枠は笠体の上面に笠体を覆うように設置されていることを特徴とする請求項１記載の照明表示付き排煙フード。
【請求項３】
表示枠は筒状部に設置されていることを特徴とする請求項１記載の照明表示付き排煙フード。
【請求項４】
表示枠の下部に底板が設けられていることを特徴とする請求項３記載の照明表示付き排煙フード。
【請求項５】
表示体は透光性を有することを特徴とする請求項１から４のいずれかに記載の照明表示付き排煙フード。
【請求項６】
表示体は透光板で挾持されていることを特徴とする請求項１から５のいずれかに記載の照明表示付き排煙フード。
【請求項７】
表示体は縁枠に取り替え可能に設けられていることを特徴とする請求項１から６のいずれかに記載の照明表示付き排煙フード。
【請求項８】
照明灯は表示体の内側又は外側に設けられていることを特徴とする請求項１から７のいずれかに記載の照明表示付き排煙フード。
【考案の詳細な説明】
【技術分野】
【０００１】
本考案は、焼肉店、居酒屋、和食店、すし店等の店内に設置された燃焼具の上方に配設される排煙フードに関し、詳しくは、照明表示により宣伝広告等の機能を有する排煙フードに関するものである。
【背景技術】
【０００２】
従来の排煙フードは、通常は笠体の内側に排煙フードの下方のテーブル及び燃焼具を照射する照明灯が設けられている。
又、室内の照明機能を持たせた排煙フードとして、実開平６ー１９８１２の照明付きの空気浄化装置が提案されている。
このように、従来の排煙フードは照明の機能を有しているが、お客を注目させるための機能を有するものではない。
【考案の開示】
【考案が解決しようとする課題】
【０００３】
上記点より本考案は、焼肉店、居酒屋、和食店、すし店等の店内に設置された燃焼具の上方に配設される排煙フードの外側上部に広告内容、メニュー、イラスト等を照明表示することによりお客を注目させ、アイキャッチ効果を高めながら、必要な宣伝広告や各種情報の表示を有効にできる照明表示付き排煙フードを提供しようとするものである。
【課題を解決するための手段】
【０００４】
上記課題を解決するため請求項１記載の本考案照明表示付き排煙フードは、店内に設置された燃焼具の上方に配設され、笠体の中央部上面に排煙口を有し、この排煙口に筒状部が設けられている排煙フードの外側上部に、天井部中央に前記筒状部への挿通孔を有し、側面に前記筒状部を囲むように広告内容、メニュー、イラスト等を表した表示体を取り付けた縁枠を有する表示枠が設置され、この表示枠に前記表示体を照射する照明灯が設けられていることを特徴とするものである。
【０００５】
このような構成とすることにより、排煙フードの外側上部に広告内容、メニュー、イラスト等を表した表示体が照明灯により明るく照らされているため、お客は店内に入ると表示体の表示内容に注目するので、必要な広告内容、メニュー、イラスト等の表示を有効になすことができる。そして、表示体は排煙フードの筒状部を囲むように取り付けられているため、お客はどの位置からも視認できる。
又、表示体を照射する照明灯は、間接的なやさしい照明として店内の照明としての機能も十分に果たすものである。
【０００６】
次に、請求項２記載の本考案照明表示付き排煙フードは、請求項１記載の照明表示付き排煙フードにおいて、表示枠は笠体の上面に笠体を覆うように設置されていることを特徴とするものである。
【０００７】
このような構成とすることにより、笠体の外側は外部から見えず、店内は照明で明るい雰囲気となる。又、表示枠を安定した状態で設置可能である。
【０００８】
次に、請求項３記載の本考案照明表示付き排煙フードは、請求項１記載の照明表示付き排煙フードにおいて、表示枠は筒状部に設置されていることを特徴とするものである。
【０００９】
このような構成とすることにより、お客はテーブルの回りに座った時に、頭上の圧迫感がないものとなると共に、笠体と店の天井間の空間を明るくできる。
【００１０】
次に、請求項４記載の本考案照明表示付き排煙フードは、請求項３記載の照明表示付き排煙フードにおいて、表示枠の下部に底板が設けられていることを特徴とするものである。
【００１１】
このような構成とすることにより、お客が表示内容を下方から見上げた時に、光が底部から漏れてまぶしく感じることがない。
【００１２】
次に、請求項５記載の本考案照明表示付き排煙フードは、請求項１から４のいずれかに記載の照明表示付き排煙フードにおいて、表示体は透光性を有することを特徴とするものである。
【００１３】
このような構成とすることにより、表示体を表示枠の内側から照射すると、照明が外部に広がると共に表示内容も表出し、演出効果が高まる。
【００１４】
次に、請求項６記載の本考案照明表示付き排煙フードは、請求項１から５のいずれかに記載の照明表示付き排煙フードにおいて、表示体は透光板で挾持されていることを特徴とするものである。
【００１５】
このような構成とすることにより、表示体が薄い紙又はフィルム状のものであっても、使用可能であると共に表示体を汚れから保護することができる。又、掃除も容易である。
【００１６】
次に、請求項７記載の本考案照明表示付き排煙フードは、請求項１から６のいずれかに記載の照明表示付き排煙フードにおいて、表示体は縁枠に取り替え可能に設けられていることを特徴とするものである。
【００１７】
このような構成とすることにより、各種案内情報を定期的に替えて表示したり、季節により表示内容を変えることができる。
【００１８】
次に、請求項８記載の本考案照明表示付き排煙フードは、請求項１から７のいずれかに記載の照明表示付き排煙フードにおいて、照明灯は表示体の内側又は外側に設けられていることを特徴とするものである。
【００１９】
このような構成とすることにより、表示体の内側に照明灯を設けると、表示体の背面から照射される内照式看板風或いは行灯風のものとなり、軟らかい照明で落ち着いた雰囲気を醸し出す。
又、表示体の外側に照明灯を設けると、表示体が鮮明に表出されると共に、排煙フードと店の天井間の空間の照明も兼ねる。
【考案の効果】
【００２０】
請求項１の本考案照明表示付き排煙フードによれば、排煙フードの外側上部に広告内容、メニュー、イラスト等を表した表示体が照明灯により明るく照らされているため、お客は店内に入ると表示体の表示内容に注目するので、必要な広告内容、メニュー、イラスト等の表示を有効になすことができると共に、表示体は排煙フードの筒状部を囲むように取り付けられているため、お客はどの位置からも視認できる等のアイキャッチ効果を有する。又、表示体を照射する照明灯は間接的なやさしい照明として、店内の照明としての機能も十分に果たす効果を有する。
【００２１】
請求項２の本考案照明表示付き排煙フードによれば、笠体の外側は外部から見えず、店内は照明で明るい雰囲気となる。
又、表示枠を安定した状態で設置できる効果を有する。
【００２２】
請求項３の本考案照明表示付き排煙フードによれば、お客はテーブルの回りに座った時に、頭上の圧迫感がないものとなると共に、笠体と店の天井間の空間を明るくできる効果を有する。
【００２３】
請求項４の本考案照明表示付き排煙フードによれば、お客が表示内容を下方から見上げた時に、光が底部から漏れてまぶしく感じることがない効果を有する。
【００２４】
請求項５の本考案照明表示付き排煙フードによれば、表示体を表示枠の内側から照射すると、照明が外部に広がると共に表示内容も表出し、演出効果が高まるものである。
【００２５】
請求項６の本考案照明表示付き排煙フードによれば、表示体が薄い紙又はフィルム状のものであっても使用可能であると共に、表示体を汚れから保護することができる効果を有する。又、掃除も容易である。
【００２６】
請求項７の本考案照明表示付き排煙フードによれば、各種案内情報を定期的に替えて表示したり、季節により表示内容を替えることができる効果を有する。
【００２７】
請求項８の本考案照明表示付き排煙フードによれば、表示体の内側に照明灯を設けると、表示体の背面から照射される内照式看板風或いは行灯風のものとなり、軟らかい照明で落ち着いた雰囲気を醸し出す効果を有する。
又、表示体の外側に照明灯を設けると、表示体が鮮明に表出されると共に、排煙フードと店の天井間の空間の照明も兼ねる効果を有する。
【考案を実施するための最良の形態】
【００２８】
以下、本考案の一実施の形態を図面を参照して説明する。
図１は本考案照明表示付き排煙フードの一実施の形態を示す縦断正面図、図２は同上の一部省略した斜視図、図３は同上の部分拡大斜視図である。
【００２９】
図１乃至図３において、図中１は焼肉店、居酒屋、和食店、すし店等の店内の卓上の炭火七輪やガス焼き台等の燃焼具（図示せず）の上方に配設される排煙フードであり、排煙フード１は下面が開口し、中央部上面に排煙口２ａを有する集煙用のステンレス製の笠体２と、排煙口２ａに下方部が挿通され笠体２と一体に取り付けられた筒状部３を備えている。
筒状部３の上部は室外に排煙する排煙ダクト（図示せず）に連通している。又、笠体２は開口縁は円形で、筒状部３の下部にグリスフィルター４が設けられている。
【００３０】
５は排煙フード１の外側上部に設置された表示枠であり、この表示枠５は中央に排煙フード１の筒状部３が挿通する挿通孔６ａを有する天井部６と縁枠７から形成され、縁枠７は天井部６の外端縁に固着された円形リング状の上部縁枠８と、この上部縁枠８の下方に２箇所対向位置に設けた縦縁枠９で連結された同じく円形リング状の下部縁枠１０から形成されている。上部縁枠８及び下部縁枠１０の形状は、笠体２の開口縁の形状に対応させてある。
【００３１】
天井部６は、図面では排煙フード１の笠体２を逆さにした形状のアルミ製の板体を使用しているが、必ずしもかかる形状の天井部６とする必要はない。
天井部６は挿通孔６ａの縁部に水平部６ｂが形成され、この水平部６ｂと笠体２の排煙口２ａの縁部に形成された水平部２ｂを合わせてビス１１で固定し、笠体２上に固定されている。又、天井部６に通気孔６ｃが穿設されている。
【００３２】
上部縁枠８及び下部縁枠１０は断面が略コ字形で、上部縁枠８の溝８ａと下部縁枠１０の溝１０ａを相対向させて配設され、両溝８ａ、１０ａ間に表示体１２がその上部及び下部を嵌合され、排煙フード１の筒状部３を囲むように形成されている。
【００３３】
縦縁枠９はその上部及び下部が上部縁枠８及び下部縁枠１０に固着された所定の巾の内側板９ａと外側板９ｂと、この内外の板９ａ、９ｂ間の上下方向に設けられ、上下の溝８ａ、１０ａ間に固着されると共に、内側板９ａ及び外側板９ｂよりも細巾の仕切り板９ｃから形成されている。
仕切り板９ｃと内外の板９ａ、９ｂで仕切り板９ｃの両側に溝９ｄが形成され、この溝９ｄに表示体１１の側部が嵌合する（図３）。
【００３４】
対向する縦縁枠９の何れか一方の側の縦縁枠９は、図３に示すように、外側板９ｂが上部縁枠８、下部縁枠１０及び仕切り板９ｃから外れるように形成され、外側板９ｂは仕切り板９ｃに設けたネジ孔１３にビス１４で固定されている。
これにより、表示体１２を上部縁枠８と下部縁枠１０の溝８ａ、１０ａ間に嵌合する時は、図３に示すように外側板９ｂを外して、上下の溝８ａ、１０ａの一方の側の側方から表示体１２を差し込めば、先端部は対向位置にある他方の縦縁枠９の仕切り板９ｃに突き当たり、先端部は対向位置の溝９ｄに嵌合される。又、表示体１２の基端部は差し込み側の溝９ｄに嵌合する。
同様にして、他方の側の上下の溝８ａ、１０ａ間にも表示体１２を差し込んだ後、外側板９ｂを仕切り板９ｃに当て、外側板９ｂに設けたビス挿通孔１５から仕切り板９ｃに設けたネジ孔１３にビス１４で止着することにより、外側板９ｂを仕切り板９ｃに着脱可能に固定する。
【００３５】
又、縁枠７に取り付けられた表示体１２を取り替える時は、外側板９ｂを外して、上下の溝８ａ、１０ａの側方から表示体１２を引き抜き、新たな表示体１２を差し込めばよい。
【００３６】
尚、下部縁枠１０の下端部は笠体２の上縁部に載置され、表示枠５は笠体２上を覆うように設置されている。そして、図１では下部縁枠１０の外側に下部縁枠１０を笠体２の内側縁部に係止する係止金具１５が設けられているが、天井部６が笠体２の上部に固定されているため、必ずしも必要とはしない。
又、表示枠５の外側で固定側の縦縁枠９に排煙フード１の下方を照射する下部照明灯１６を設けることもできる（図４）。
【００３７】
天井部６の内側には、天井部６に固着した支持フック１７で照明灯１８が設けられている。照明灯１８は円形リング状の蛍光灯が装着され、内照式の照明となっている。
照明灯１８は表示枠５の内側に代え、図５に示すように電球形のものを表示枠５の外側に設け、表示体１２の外側から照射することもできる。又、天井部６の上方に通気孔１９ａを有する蓋板１９が設けられている。
【００３８】
表示体１２は透光性を有するアクリル板、フィルム、シート、紙等が使用される。そして、表示体１２に宣伝広告等の文字、図形等を表した広告内容、メニュー、各種情報、イラスト等が表示される。表示は印刷、コピー或いは直接手書き等で行われる。
【００３９】
又、図３では表示体１２は透光板２０で挾持されて縁枠７に取り付けられているが、必ずしも透光板２０で挾持する必要はなく、表示体１２を一枚の透光板２０に貼着して取り付けたり、又材質によっては表示体１２のみ取り付けることもできる。
表示枠５が図示のように外周が円形の場合は、表示体１２及び透光板２０は弾力性のある方がよい。
【００４０】
透光板２０は着色されたものでも良く、特に表示体１２の内側となる透光板２０は乳白色とし、外部から表示枠５の内側の照明灯１８が見えないようにすると良い。
【００４１】
次に、図６は他の実施の形態を示し、図１乃至図５と相当する箇所にはそれと同一符号を付してある。
図６は天井部６が平坦な板体を使用した表示枠５の場合を示したもので、この場合は円形リング状の蛍光灯でもよいが、天井部６の内側に電球形の照明灯１８が複数個使用されている。
又、表示枠５の排煙フード１への取り付けは、排煙フード１の筒状部３の周囲に断面がＬ字形のブラケット２１を止螺子２２で固定し、このブラケット２１の水平片上に天井部６の挿通孔６ａの縁部付近の内側が係合し、表示枠５を支持している。
この場合、より安定した支持とするため、図示されていないのが、下部縁枠１０に前同様の係止金具１５を設けることもできる。
【００４２】
次に、図７は請求項３の考案の表示枠５が排煙フード１の筒状部３に設置されている場合を示し、図１乃至図６と相当する箇所にはそれと同一符号を付してある。
この場合、表示枠５の取り付けは排煙フード１の筒状部３の周囲に図６と同様の断面がＬ字形のブラケット２１を止螺子２２で固定し、このブラケット２１の水平片上に天井部６の挿通孔６ａの縁部に形成された水平部６ｂが係合し支持されている。
表示枠５はブラケット２１の取り付け高さ位置を変えることにより、任意の高さ位置に支持される。
又、表示枠５の内側に照明灯１８が設けられている場合に、表示枠５の下部から光が漏れないように底板２３が設けられている。
底板２３は照明灯１８が外側に設けてある場合であっても、表示枠５の内部が見えないようにできる機能を有する。
【００４３】
以上、本考案を実施形態に基づき具体的に説明したが、本考案は上記実施形態に何ら限定されるものではなく、例えば、表示枠５の周囲の形状は排煙フード１の笠体２の開口縁の形状に応じた形状に形成されているが、表示枠５が筒状部３に設置される場合は、必ずしも対応させる必要はなく、笠体２の開口縁が円形であっても方形又は多角形の表示枠５としても良い。又、表示枠５は既存の排煙フードにも設置できる。
更に、表示体１２の取り替えも両方の縦縁枠９の外側板９ｂが外れるようにしても良く、或いは照明灯１８を点滅式とすることもできる等、本考案の趣旨を逸脱しない範囲内で種々変形改良が可能である。
【図面の簡単な説明】
【００４４】
【図１】本考案照明表示付き排煙フードの一実施の形態を示す縦断正面図である。
【図２】本考案照明表示付き排煙フードの一部省略した斜視図である。
【図３】本考案照明表示付き排煙フードの部分拡大斜視図である。
【図４】本考案照明表示付き排煙フードの一実施の形態を示す正面図である。
【図５】本発明照明表示付き排煙フードの一実施の形態を示す正面図である。
【図６】本発明照明表示付き排煙フードの他の実施の形態を示す縦断正面図である。
【図７】請求項３の本発明照明表示付き排煙フードの一実施の形態を示す縦断正面図である。
【符号の説明】
【００４５】
１  排煙フード
２  笠体
２ａ  排煙口
３  筒状部
５  表示枠
６  天井部
６ａ  挿通孔
７  縁枠
８  上部縁枠
９  縦縁枠
１０  下部縁枠
１２  表示体
１６  下部照明灯
１８  照明灯
２０  透光板
２３  底板
【図１】
0003105136.tif 000003
【図２】
0003105136.tif 000004
【図３】
0003105136.tif 000005
【図４】
0003105136.tif 000006
【図５】
0003105136.tif 000007
【図６】
0003105136.tif 000008
【図７】
0003105136.tif 000009